(57)【要約】【課題】本発明は、ジャム処理性を向上させ、装置本体の小型化やユニットの小型化を行った場合においても容易にかつ、安全にジャム処理が行えるようにするとともに、冷却に時間を要さず、迅速なジャム処理を可能とし、また、ジャム処理時の装置の破損を防止することにより、安全かつ高品質で操作性の良い画像形成装置を供給することを目的とする。【解決手段】本発明に係る画像形成装置の代表的な構成は、未定着画像を熱と圧力によって転写材１６に定着する定着装置１０において、支点を中心に回動して開閉が可能な排出ガイド１４と、排出ガイド１４の開閉に連動し、転写材１６をくわえて装置外へ引き出すグリップ３３ａ、回動中心３３ｂ、パッド３３ｃと、を備えることを特徴とする。【選択図】　　図１
2004101830.tif 000002
【特許請求の範囲】
【請求項１】
未定着画像を担持する転写材を挟持搬送し加熱定着する定着手段と、定着手段の転写材搬送方向下流側に設けられており支点を中心に開閉可能な転写材ガイド部材と、を有する定着装置において、
前記転写材ガイド部材には、前記転写材ガイド部材を開放する際に手で掴む可動なグリップ部と、グリップ部の移動に連動して移動し転写材を銜えることが可能なクリップ部が設けられていることを特徴とする定着装置。
【請求項２】
前記装置は更に、前記定着手段の転写材ニップ部に掛かっている圧力を解除する加圧解除機構を有することを特徴とする請求項１に記載の定着装置。
【請求項３】
前記加圧解除機構は転写材の搬送異常に応じて自動的に作動することを特徴とする請求項２に記載の定着装置。
【請求項４】
転写材に画像を形成する像形成手段と、未定着画像を担持する転写材を挟持搬送し加熱定着する定着手段と、定着手段の転写材搬送方向下流側に設けられており支点を中心に開閉可能な転写材ガイド部材と、を有する画像形成装置において、
前記転写材ガイド部材には、前記転写材ガイド部材を開放する際に手で掴む可動なグリップ部と、グリップ部の移動に連動して移動し転写材を銜えることが可能なクリップ部が設けられていることを特徴とする画像形成装置。
【請求項５】
前記装置は更に、前記定着手段の転写材ニップ部に掛かっている圧力を解除する加圧解除機構を有することを特徴とする請求項４に記載の画像形成装置。
【請求項６】
前記加圧解除機構は転写材の搬送異常に応じて自動的に作動することを特徴とする請求項５に記載の画像形成装置。
【発明の詳細な説明】
【０００１】
【発明の属する技術分野】
本発明は、電子写真式や静電記録式等の記録方式を用いた複写機やプリンタ等の画像形成装置、及び画像形成装置に搭載可能な定着装置に関する。
【０００２】
【従来の技術】
従来、高温になった定着器内において紙詰まりを起こした場合、定着器の温度が下がるのを待つか、あるいは、高温に注意しながらガイド等を開口させジャム紙を手で引き出す作業を行うのが一般的であった。
【０００３】
【発明が解決しようとする課題】
しかしながら、定着部のジャム紙処理には細心の注意を必要とし、より安全にジャム処理できる装置が求められている。
【０００４】
そこで本発明は、ジャム処理性を向上させ、装置本体の小型化やユニットの小型化を行った場合においても容易にかつ、安全にジャム処理が行えるようにするとともに、冷却に時間を要さず、迅速なジャム処理を可能とし、また、ジャム処理時の装置の破損を防止することにより、安全かつ操作性の良い定着装置及び画像形成装置を提供することを目的とする。
【０００５】
【課題を解決するための手段】
上記課題を解決するための本発明は、未定着画像を担持する転写材を挟持搬送し加熱定着する定着手段と、定着手段の転写材搬送方向下流側に設けられており支点を中心に開閉可能な転写材ガイド部材と、を有する定着装置において、前記転写材ガイド部材には、前記転写材ガイド部材を開放する際に手で掴む可動なグリップ部と、グリップ部の移動に連動して移動し転写材を銜えることが可能なクリップ部が設けられていることを特徴とする。
【０００６】
更に本発明は、転写材に画像を形成する像形成手段と、未定着画像を担持する転写材を挟持搬送し加熱定着する定着手段と、定着手段の転写材搬送方向下流側に設けられており支点を中心に開閉可能な転写材ガイド部材と、を有する画像形成装置において、前記転写材ガイド部材には、前記転写材ガイド部材を開放する際に手で掴む可動なグリップ部と、グリップ部の移動に連動して移動し転写材を銜えることが可能なクリップ部が設けられていることを特徴とする。
【０００７】
【発明の実施の形態】
本発明に係る画像形成装置及び定着装置の実施形態について、図を用いて説明する。図１は本実施形態の定着装置の側面説明図、図２は定着装置の圧解除状態を示す側面説明図、図３は定着装置のジャム処理状態を示す側面説明図、図４は定着装置の圧解除機構を示す側面説明図、図５は定着装置の駆動部を示す側面説明図、図６は定着装置の装置本体への装着状態を示す説明図、図７は定着装置の主要部品の配置を示す部分上面図である。
【０００８】
図６は本実施形態における画像形成装置をシート排出側から見た図（不図示の装置本体開閉カバーを開いて定着ユニットを露出させた状態の図）である。図６に示すように、記録装置本体１５内には、未定着画像を担持させた転写材１６を熱と加圧力により定着するための定着装置１０が設けられている。
【０００９】
図１に示すように、定着装置１０は、直接転写材１６と接触して転写材１６に熱及び加圧力を加える定着ローラ１及び加圧ローラ２を備えている。
【００１０】
定着ローラ１は、内部に加熱用のヒータ９を有し、定着装置１０に対して回転自在に取付られている。加圧ローラ２は、加圧部材加圧アーム４に回転自在に取付られている。図４に示すように、加圧アーム４は、支点５を中心として揺動可能であり、加圧バネ２２により発生した加圧力を受け、加圧アーム４を介し、加圧ローラ２を定着ローラ１へ当接させることで転写材１６への加圧力を発生させる。
【００１１】
また、加圧バネ２２の上部には加圧アーム４を介し、軸３ａを中心に回転可能なカム３が設けられている。
【００１２】
図５に示すように、装置本体１５に設けられた駆動源（図示せず）より伝達された駆動力は通常、第一アイドラギア８、第二アイドラギア１８を介して定着ローラ１に固定された定着ギア１７に伝達されることで、定着ローラ１が回転する。
【００１３】
（加圧解除機構）
図５に示すように、装置本体１５に設けられた駆動源（図示せず）より伝達された駆動力は、第二アイドラギア１８を介して、内部に一方向のみに駆動の伝達を行うワンウェイクラッチを内蔵するワンウェイギア１２ａにも伝達される。この際、図５においてギア１２ａが時計まわり回転する通常の回転方向では、ワンウェイギア１２ａはクラッチの作用により駆動力の伝達を行っていない。
【００１４】
しかし、駆動源（図示せず）が通常の転写材１６の搬送方向に対して逆回転を行うと駆動力が軸１２ｂに伝達され、軸１２ｂに固定された第三アイドラギア１２ｃが回転する。
【００１５】
更にこの駆動力は第三アイドラギア１２ｃより第四アイドラギア１３を介し、カムシャフトギア２３を回転させ、更にカムシャフトギア２３に固定されたカムシャフト３ａおよびカムシャフト３ａに固定されたカム３を回転させる。
【００１６】
このとき、図４に示すように、カム３が加圧アーム４を押し下げ、加圧フレーム上に設けられた加圧フラグ４ｂが装置本体１５に設置された圧解除センサ２１の受光部を遮る。これにより、圧解除状態を検知し、駆動源（図示せず）の回転を停止し、カム３が加圧アーム４を押し下げた状態を保持することで、定着ローラ１と加圧ローラ２が離間され加圧力の解除を行うことができる。
【００１７】
また、定着ローラ１と加圧ローラ２の下流部には転写材１６の案内用の転写材ガイド部材である排出ガイド１４が回動支点１４ａを中心に揺動可能に取り付けられている。この排出ガイド１４とともに転写材１６の搬送をおこなう排出ローラ１１が排出バネ１９のバネ力により定着装置１０に当接して位置決めされている。
【００１８】
また、転写材１６の通過あるいは滞留を検知するためのセンサレバー７が転写材１６の上部の案内を行う排出上ガイド２０内に設けられている。センサレバー７は揺動可能に取り付けられており、転写材１６の通過時には、図１に示すように、センサレバー７のレバー部７ｂが転写材１６により押し上げられ回動することでセンサレバー７の端部に設けられたフラッグ７ａが装置本体１５に設けられた排出センサ６の受光部を遮り、その遮光時間により転写材の通過あるいは滞留を検知する構成となっている。
【００１９】
図２、図７に示すように、排出ガイド１４には、操作者が排出ガイド１４を開放する際に掴むグリップ３３ａと、回動中心３３ｂ、パッド３３ｃ（クリップ部）が設けられている。パッド３３ｃは、通常状態（転写材１６を搬送している時、操作者がグリップを掴んでいない時）はグリップバネ２４の作用により搬送部より退避している。グリップ３３ａは、回動中心３３ｂを支点としてグリップバネ２４の付勢力に抗して手動で図２矢印方向に動かすことができる。パッド３３ｃは、グリップ３３ａの回動に連動して移動し、搬送路にジャム紙が存在すればそれをを排出上ガイド２０と挟持できる。
【００２０】
上記の構成において、たとえば転写材１６が何らかの原因で紙づまりを起こした場合、図５に示すように、前述の駆動源（図示せず）の逆回転によりワンウェイギア１２ａがロックし、軸１２ｂに伝達された駆動力により第三アイドラギア１２ｃ、第四アイドラギア１３、カムシャフトギア２３、カムシャフト３ａを介してカム３が回転する。そして、カム３が加圧アーム４を押し下げ、加圧フラグ４ｂが圧解除センサ２１の受光部を遮ることから圧解除状態を検知し、駆動源（図示せず）の回転を停止し、カム３が加圧アーム４を押し下げた状態を保持することで、図４に示すように、定着ローラ１と加圧ローラ２が離間され加圧力の解除が自動的に行われる。
【００２１】
この状態で操作者が不図示の装置本体カバーを開き、更に定着ユニットに設けられたグリップ３３ａを掴んで排出ガイド１４を開こうとすると、図２に示すように、グリップ３３ａを掴んで排出ガイド１４を開こうとする動作によってグリップ３３ａが図２の矢印方向に回動中心３３ｂを支点として回動する。かかる回動に連動してパッド３３ｃが転写材１６を掴む方向に移動し転写材１６を排出上ガイド２０と挟持する。
【００２２】
図３に示すように、転写材１６はパッド３３ｃと排出上ガイド２０にくわえられた状態で排出ガイド１４の回動とともにガイド支点１４ａを中心に定着ローラ１と加圧ローラ２のニップ部より引き出される。このため、圧の解除されたローラニップより転写材１６を矢印Ｅの方向に容易に取り除くことができる。
【００２３】
なお、本実施形態ではローラ対による加圧方式による定着器を一例として記載しているが、本発明はこれに限定するものではなく、たとえば、フィルムやベルトを用いた定着器に対しても本実施形態同様に有効である。また、加熱源に対してもハロゲンヒーターを用い説明しているが、やはりこれに限定するものではなく、たとえば、セラミックヒーターや電磁誘導加熱等を用いた定着器に対しても有効である。また、グリップやパッドを定着ユニットに取り付けているが、画像形成装置本体に取り付けても構わない。
【００２４】
上述のごとく、排出ガイド１４の開閉に連動し転写材１６をくわえ、装置外へ引き出すグリップ３３ａ、回動中心３３ｂ、パッド３３ｃを設けることにより、圧解除機構の離間動作により圧が開放され自由になったジャム紙の先端をグリップ３３ａにはさんで引き出すことができ、高温になったジャム紙に直接触れることなく引き出し可能であり、ジャム処理を従来にも増して安全に行うことができる。
【００２５】
さらに、本発明により従来ではジャム処理性を割り切らなければ実現が不可能であった定着装置１０、および装置本体の小型化が従来構成を大きく変更せずに実現可能となった。また同様に、部品点数の増加もほとんど無いことから、類似仕様の従来機と同様のコストで実現可能である。
【００２６】
【発明の効果】
以上説明したように、本発明によれば、転写材ガイド部材の開閉に連動し転写材をくわえ、装置外へ引き出すクリップ部材を設けることにより、圧解除機構の離間動作により圧が開放され自由になったジャム紙の先端をクリップ部材にはさんで引き出すことができ、安全性がより向上する。
【００２７】
さらに、本発明により従来ではジャム処理性を割り切らなければ実現が不可能であった定着装置、および装置本体の小型化が従来構成を大きく変更せずに実現可能となった。また同様に、部品点数の増加もほとんど無いことから、類似仕様の従来機と同様のコストで実現可能なった。
【図面の簡単な説明】
【図１】本実施形態の定着装置の側面説明図である。
【図２】定着装置の圧解除状態を示す側面説明図である。
【図３】定着装置のジャム処理状態を示す側面説明図である。
【図４】定着装置の圧解除機構を示す側面説明図である。
【図５】定着装置の駆動部を示す側面説明図である。
【図６】定着装置の装置本体への装着状態を示す説明図である。
【図７】定着装置の主要部品の配置を示す部分上面図である。
【符号の説明】
１　　　　…定着ローラ
２　　　　…加圧ローラ
３　　　　…カム
３ａ　　…軸
４　　　　…加圧アーム
４ｂ　　…加圧フラグ
５　　　　…支点
７　　　　…センサレバー
７ａ　　…フラッグ
７ｂ　　…レバー部
８　　　　…第一アイドラギア
９　　　　…ヒータ
１０　　　　…定着装置
１１　　　　…排出ローラ
１２ａ　　…ワンウェイギア
１２ｂ　　…軸
１２ｃ　　…第三アイドラギア
１３　　　　…第四アイドラギア
１４　　　　…排出ガイド
１５　　　　…記録装置本体
１６　　　　…転写材
１７　　　　…定着ギア
１８　　　　…第二アイドラギア
１９　　　　…排出バネ
２０　　　　…排出上ガイド
２１　　　　…圧解除センサ
２２　　　　…加圧バネ
２３　　　　…カムシャフトギア
２４　　　　…グリップバネ
３３ａ　　…グリップ
３３ｂ　　…回動中心
３３ｃ　　…パッド
３４　　　　…第五アイドラギア
【図１】
2004101830.tif 000003
【図２】
2004101830.tif 000004
【図３】
2004101830.tif 000005
【図４】
2004101830.tif 000006
【図５】
2004101830.tif 000007
【図６】
2004101830.tif 000008
【図７】
2004101830.tif 000009